(57)【特許請求の範囲】
【請求項１】
バッテリーと、該バッテリーがケーブルで入力側に接続されたＤＣ／ＡＣインバーターとを有する電源部と、
該電源部の前記ＤＣ／ＡＣインバーターの出力側に接続されたケーブルのホット側の電線が接続されており、捕獲した狩猟獣につながるワイヤロープに引っ掛けたり絡めたりする引掛具を有している電極を有する所要長さのホット側通電操作具と、
前記ＤＣ／ＡＣインバーターの出力側に接続されたケーブルのコールド側の電線が接続されており、捕獲した狩猟獣につながるワイヤロープに引っ掛けたり、ワイヤロープを絡めたりする引掛具を有している電極を有する所要長さのコールド側通電操作具とを備える
通電式殺処分装置。
【請求項２】
前記電極が、先端部が尖鋭に形成された突き刺し部材を有している
請求項１の通電式殺処分装置。
【請求項３】
前記ホット側通電操作具のホット側の電線および前記コールド側通電操作具のコールド側の電線において、一方または双方に通電と遮断を切り替える切替スイッチを有している
請求項１または２の通電式殺処分装置。
【請求項４】
前記ホット側通電操作具につながるホット側の電線、または前記コールド側通電操作具につながるコールド側の電線に、前記各電極と入れ替えて接続可能で、先端にクリップ電極が接続されているクリッピングケーブルを有している
請求項１、２または３の通電式殺処分装置。
【請求項５】
前記電源部が前記ホット側通電操作具または前記コールド側通電操作具に取り付けられている
請求項１、２、３または４の通電式殺処分装置。
【請求項６】
前記電源部がウエスト用ベルトおよび肩掛け用ベルトの何れか一方または双方を有している
請求項１、２、３、４または５の通電式殺処分装置。
【請求項７】
バッテリーと、該バッテリーがケーブルで入力側に接続されたＤＣ／ＡＣインバーターとを有する電源部と、該電源部の前記ＤＣ／ＡＣインバーターの出力側に接続されたケーブルのホット側の電線が接続されており、捕獲した狩猟獣につながるワイヤロープに引っ掛けたり絡めたりする引掛具を有している電極を有する所要長さのホット側通電操作具と、前記ＤＣ／ＡＣインバーターの出力側に接続されたケーブルのコールド側の電線が接続されており、捕獲した狩猟獣につながるワイヤロープに引っ掛けたり、ワイヤロープを絡めたりする引掛具を有している電極を有する所要長さのコールド側通電操作具とを備える通電式殺処分装置を使用し、
前記ホット側通電操作具およびコールド側通電操作具の前記各電極を、捕獲され接地している狩猟獣に、直接または間接的に通電可能に接触させる工程と、
ホット側通電操作具のホット側の電線に通電し、狩猟獣を通る閉回路をつくって狩猟獣を感電させる工程とを備える
殺処分方法。
【請求項８】
前記ホット側通電操作具およびコールド側通電操作具の前記各電極を、捕獲され接地している狩猟獣に、直接または間接的に通電可能に接触させる工程を、電極のいずれか一方を狩猟獣の口に咥えさせ通電可能に接触させるようにした
請求項７の殺処分方法。
【発明の詳細な説明】
【技術分野】
【０００１】
本発明は、通電式殺処分装置および殺処分方法に関するものである。詳しくは、罠で狩猟獣を捕獲して殺処分するにあたり、必ずしも金属製網体からなる檻状の箱罠を使用して捕獲し、更に金属製網体を介して土中にアースをとる必要がなく、例えば足括り罠に掛かって、ワイヤロープでつながれた状態で捕獲された狩猟獣であっても、狩猟者が自身の安全を図りながら殺処分を行うことができるものに関する。
【背景技術】
【０００２】
例えば檻状の箱罠、あるいは足括り罠などの各種罠で捕獲した狩猟獣は、そのほとんどを殺処分する必要がある。しかし、猟区には銃猟禁止地域があり、狩猟獣に致命傷を与えるためにむやみに発砲することはできない。また、狩猟獣をハンマーで叩いたりして中途半端に傷を負わせると大暴れして手負いとなる可能性があり、かえって危険である。そこで、多くの場合では、捕獲した狩猟獣の動きをワイヤロープなどの拘束具で制限し、動けなくなったところでナイフにより致命傷を与える方法がとられている。
【０００３】
しかし、この方法も絶対に安全なわけではないので、近年では、狩猟者にとってより安全な方法として、捕獲した狩猟獣に電気を流して気絶または感電死させる方法が推奨されている。この通電による処分は、捕獲した狩猟獣を気絶または感電死させる処理を一瞬で、またはごく短時間で行うことができる点で実用的かつ有用な方法であるといえる。
【０００４】
このような動物用の通電式殺処分装置としては、例えば特許文献１に記載されている野生動物屠殺用具がある。
この屠殺用具は、先端先鋭状の正電極部となる金属針部を先端に有し、基端にグリップ部を形成した、伸縮自在の所定長さの竿体と、金属針部に接続した通電コードと、通電コードに接続したバッテリー部と、バッテリー部からの直流電圧を昇圧するための電源昇圧部と、ＤＣ／ＡＣインバーターと、通電コードの中途に介設した電源スイッチ部とよりなり、しかも、バッテリー部と電源昇圧部とＤＣ／ＡＣインバーターはケースに収納して背負い状態に構成され、電源スイッチ部は、金属針部とＤＣ／ＡＣインバーターを繋ぐ通電コードに対して並列に延びる通電コードによって、ＤＣ／ＡＣインバーターに接続されている。
【０００５】
そして、野生動物を屠殺する場合には、狩猟者は一方の手で竿体のグリップ部を把持し、他方の手で電源スイッチ部を把持し、野生動物を収納する金属製網体を土中の接地電極と同電位にし、狩猟者は一方の手で野生動物に竿体の金属針部を突き刺し、他方の手で把持した電源スイッチ部のスイッチボタンを押すと、ＤＣ／ＡＣインバーターから通電コード、金属針部、野生動物、金属製網体及び土中の順に電流が流れる閉回路を形成することにより野生動物を屠殺するように構成されている。
【先行技術文献】
【特許文献】
【０００６】
【特許文献１】特許第５６８７７５０号公報
【発明の概要】
【発明が解決しようとする課題】
【０００７】
しかしながら、上記特許文献１に記載の野生動物屠殺用具には、次のような課題があった。
すなわち、野生動物屠殺用具を使用して狩猟獣の殺処分を行うには、アースをとるために狩猟獣を収納して捕獲する金属製網体を使用した檻状の箱罠が必要である。このため、例えば箱罠と共に広く普及している足括り罠に掛かって、ワイヤロープにつながれた状態で捕獲された狩猟獣の殺処分を行うことはできなかった。
【０００８】
また、野生動物屠殺用具では、あらかじめ金属製網体を介しアースをとった状態としておき、狩猟獣に対して通電して殺処分を行うので、例えば山中の獣道近隣の足場の悪い場所において、特に雨天時に狩猟者が転倒するなどして過ってスイッチが入ってしまい、狩猟者が正電極部に直に接触したり、あるいは濡れた地面を介して間接的に接触したりして感電してしまう可能性が少なからずあり、安全性に課題があった。
【０００９】
更に、通常の捕獲状態では、狩猟獣の足などが金属製網体に充分に接触していない場合が多くあり、また、金属製網体を置く地面が、コンクリート面やアスファルト面であったり、石が散乱するガレ場であったりすると、狩猟獣を通してアースが取れない場合があった。このため、使用の現場においては、狩猟獣の殺処分を確実に行うために、狩猟獣の足下などに水をかけて濡らすことで、狩猟獣、金属製網体および地面の三者間の通電性を良好にする必要があった。しかしこれは、水をかけた周りで作業をする狩猟者にとっても上記したような感電のおそれがあり、大変危険であった。
【００１０】
また、野生動物屠殺用具では、狩猟獣のどの部分が金属製網体に触れるのかがはっきりせず、通電する箇所が決めにくいので、結局は、ほとんどの場合で、狩猟獣を感電死させていた。しかし、狩猟獣を感電死させて心臓が止まってしまうと、放血ができないために、食用として利活用を図ることができなくなっていた。
【００１１】
本発明は、以上の点を鑑みて創案されたものであり、罠で狩猟獣を捕獲して殺処分するにあたり、必ずしも金属製網体からなる檻状の箱罠を使用して捕獲し、更に金属製網体を介して土中にアースをとる必要がなく、例えば足括り罠に掛かって、ワイヤロープでつながれた状態で捕獲された狩猟獣であっても、狩猟者が自身の安全を図りながら殺処分を行うことができると共に、食用として利活用も図ることができる通電式殺処分装置を提供することを目的とする。
【課題を解決するための手段】
【００１２】
（１）上記の目的を達成するために本発明は、バッテリーと、該バッテリーがケーブルで入力側に接続されたＤＣ／ＡＣインバーターとを有する電源部と、該電源部の前記ＤＣ／ＡＣインバーターの出力側に接続されたケーブルのホット側（プラス側または非接地側ともいう）の電線が接続されており、捕獲した狩猟獣につながるワイヤロープに引っ掛けたり絡めたりする引掛具を有している電極を有する所要長さのホット側通電操作具と、前記ＤＣ／ＡＣインバーターの出力側に接続されたケーブルのコールド側（マイナス側または接地側ともいう）の電線が接続されており、捕獲した狩猟獣につながるワイヤロープに引っ掛けたり、ワイヤロープを絡めたりする引掛具を有している電極を有する所要長さのコールド側通電操作具とを備える通電式殺処分装置である。
【００１３】
本発明の通電式殺処分装置を使用した狩猟獣の殺処分にあたっては、例えば足括り罠に掛かり、ワイヤロープでつながれた状態で捕獲されたイノシシなどの狩猟獣に、罠のワイヤロープだけでなく、口に咥えさせるなどして拘束用のワイヤロープをつなぎ、二方から拘束して狩猟獣の動きをより確実に制限して狩猟者に対する危険度をあらかじめ軽減しておく。なお、ワイヤロープはいずれも金属製で、電気を通す導体であり、上記の場合でそれぞれの一端部が狩猟獣の口部と後足部に接続され、他端部が例えば立ち木や杭に接続され、ワイヤロープに適当なテンションが掛かった状態となっている。
【００１４】
次に、狩猟獣とやや離れた安全な場所でコールド側通電操作具を操作して、狩猟獣につながっているワイヤロープの何れかひとつに電極を接触させ、次いで同じくやや離れたところでホット側通電操作具を操作して、電極を上記とは別のワイヤロープに接触させる。なお、各電極は、それぞれを狩猟獣の身体の皮膚など通電可能な部分に直接触れさせるようにしてもよい。そして、通電式殺処分装置の電源部の電源を入れ、ホット側通電操作具につながるホット側の電線に通電する。
【００１５】
これにより、ホット側通電操作具につながるホット側の電線を通じて電極に送られた電流は、一方のワイヤロープから狩猟獣の身体を通り、更にコールド側通電操作具において他方のワイヤロープを通って狩猟獣の身体を通して接地しているコールド側の電線とつながる。このようにして、上記通電の経路で閉回路が形成されることにより、狩猟獣の身体に所定の電圧と容量の電流が通り、狩猟獣は感電する。
【００１６】
また、各通電操作具の電極が有している引掛具を、捕獲した狩猟獣につながるワイヤロープに引っ掛けたり、ワイヤロープを絡めたりすることで、狩猟獣が動いてワイヤロープが多少動いたとしても、電極をつないだ状態が簡単に外れることはなく、つないだ状態を維持できるので、作業がしやすく失敗が少ない。
【００１７】
更に、場合によっては、ワイヤロープにつないだ各通電操作具を、いわゆる突っ張り棒、あるいは突っ支い棒のように使用することにより、狩猟者が自身の身体を支えて安定させることが可能になり、足場の悪い中での転倒などの事故、あるいはそれに起因する感電事故などを防止する助けともなる。
【００１８】
このように、通電式殺処分装置を使用すれば、必ずしも金属製網体からなる檻状の箱罠を使用して捕獲し、更にあらかじめ金属製網体を介して土中にアースをとる必要がない。そして、上記したように、足括り罠に掛かって、ワイヤロープでつながれた状態で捕獲された狩猟獣であっても、狩猟者が自身の安全を図ると共に、食用として利活用も図りながら殺処分を行うことができる。
【００１９】
また、狩猟獣の身体を通る電流の電圧と容量、あるいは通電時間を適宜調節することにより、狩猟獣を感電死させることもできるし、気絶させる（仮死状態とする）こともできる。更に、各通電操作具の電極を、狩猟獣の身体の任意の箇所に接触させて、通電する経路を適宜選択できるので、例えば口と足に接触させて心臓に通電して直ちに感電死させたり、あるいは狩猟獣の口と首に接触させて心臓を通さず、頭部（脳）に通電して気絶させるなど、狩猟獣の処分の状態のコントロールが可能になる。これにより、イノシシなどの狩猟獣を殺処分後に食用として利活用を図るために、通電により一旦は気絶させておき、ナイフなどで致命傷を与えて放血することができる。
【００２０】
（２）本発明は、前記電極が、先端部が尖鋭に形成された突き刺し部材を有している構成であってもよい。
【００２１】
この場合は、各通電操作具の電極を狩猟獣の身体に接触させるときに、突き刺し部材を狩猟獣に突き刺し、その皮や脂肪層を貫通させれば、通電性のよい筋肉などの肉の部分を通して身体に通電することが可能になる。また、これにより、必ずしも導体である金属製のワイヤロープを使用し、これに電極を接触させる必要はなく、狩猟獣に直接通電することができる。
【００２２】
（３）本発明は、ホット側通電操作具のホット側の電線およびコールド側通電操作具のコールド側の電線において、一方または双方に通電と遮断を切り替える切替スイッチを有している構成であってもよい。
【００２３】
この場合は、例えば切替スイッチを、通電操作具において狩猟者の手が届く箇所に配置しておくことにより、電極につながる電線への通電を、最も好適なタイミングを見はからって素早く行うことができると共に、状況によっては通電をしないまま止めることもできるので、より確実に、かつより安全に作業を行うことが可能になる。
【００２４】
（４）本発明は、前記ホット側通電操作具につながるホット側の電線、または前記コールド側通電操作具につながるコールド側の電線に、前記各電極と入れ替えて接続可能で、先端にクリップ電極が接続されているクリッピングケーブルを有している構成であってもよい。
【００２５】
この場合は、例えば金属製で檻状の箱罠で狩猟獣を捕獲している場合において、クリッピングケーブルを一方の通電操作具の電極と入れ替えて接続すれば、クリップを地面上にある箱罠に接続することで、アースをとることが可能になる。この場合は、クリッピングケーブルを接続しなかった側の通電操作具の電極を狩猟獣に接触させて通電を行えば、箱罠に触れている狩猟獣の身体を通る閉回路が形成され、狩猟獣を感電させることができる。
【００２６】
（５）本発明は、前記電源部が前記ホット側通電操作具または前記コールド側通電操作具に取り付けられている構成であってもよい。
【００２７】
この場合は、装置全体がコンパクトにまとまり、運搬の際に持ちやすく携帯性も向上するので、例えば狩猟者が獣道に向かう険しく足場が悪い山中を歩くときに、装置を重く感じたり、各通電操作具が木枝に掛かって歩きにくくなったりすることが軽減され、殺処分に伴う様々な作業において取り扱いがしやすくなる。なお、電源部に、殺処分をするのに必要充分な規格を有し、より小型のバッテリーやＤＣ／ＡＣインバーターを採用すれば、装置全体を更にコンパクトにつくることが可能になる。なお、例えばバッテリーを一方の通電操作具に収容し、あるいは取り付け、ＤＣ／ＡＣインバーターを他方の通電操作具に収容し、あるいは取り付けて、所定の配線を行うことも可能である。
【００２８】
（６）本発明は、前記電源部がウエスト用ベルトおよび肩掛け用ベルトの何れか一方または双方を有している構成であってもよい。
【００２９】
この場合は、狩猟者が、ウエスト用ベルトおよび肩掛け用ベルトの何れか一方または双方を使用して、電源部を身に付けることができるので、各通電操作具を使用する左右の手が自由になり、各通電操作具の携帯性も更に向上するので、狩猟者が獣道に向かう険しく足場が悪い山中を歩くときにも、上記（５）の発明と同様、装置の重さを負担に感じたり、各通電操作具が木枝に掛かるなどして歩きにくくなったりすることが軽減され、取り扱いもしやすくなる。
【００３０】
（７）上記の目的を達成するために本発明は、バッテリーと、該バッテリーがケーブルで入力側に接続されたＤＣ／ＡＣインバーターとを有する電源部と、該電源部の前記ＤＣ／ＡＣインバーターの出力側に接続されたケーブルのホット側の電線が接続された電極を有する所要長さのホット側通電操作具と、前記ＤＣ／ＡＣインバーターの出力側に接続されたケーブルのコールド側の電線が接続された電極を有する所要長さのコールド側通電操作具とを備える通電式殺処分装置を使用し、前記ホット側通電操作具およびコールド側通電操作具の前記各電極を、捕獲され接地している狩猟獣に、直接または間接的に通電可能に接触させる工程と、ホット側通電操作具のホット側の電線に通電し、狩猟獣を通る閉回路をつくって狩猟獣を感電させる工程とを備える殺処分方法である。
【００３１】
（８）本発明は、前記ホット側通電操作具およびコールド側通電操作具の前記各電極を、捕獲され接地している狩猟獣に、直接または間接的に通電可能に接触させる工程を、電極のいずれか一方を狩猟獣の口に咥えさせ通電可能に接触させて行うことができる。
【００３２】
この場合、ホット側通電操作具またはコールド側通電操作具の電極を狩猟獣に通電可能に接触させる作業が容易にできる。つまり、イノシシなどの狩猟獣の多くは、鼻先に物を突き出すと、それを口で咥える習性があるので、例えばワイヤロープの先に括り輪を形成して咥えさせると、それを引き絞ることで、ワイヤロープを簡単に狩猟獣の通電可能な口内部につなぐことができる。また、上記電極の場合も同様に、鼻先に突き出すと、狩猟獣はそれを咥えるので、突き刺し部材や引掛具が口内皮膚に刺さるなどして、通電が確実に行われる状態となる。なお、狩猟獣が電極を咥えない場合は、電極を口の中に差し込むようにしてもよい。
【００３３】
（９）上記の目的を達成するために本発明は、バッテリーと、該バッテリーがケーブルで入力側に接続されたＤＣ／ＡＣインバーターとを有する電源部と、該電源部の前記ＤＣ／ＡＣインバーターの出力側に接続されたケーブルのホット側の電線が接続されている電極を有する所要長さのホット側通電操作具と、前記ＤＣ／ＡＣインバーターの出力側に接続されたケーブルのコールド側の電線が接続されている電極を有する所要長さのコールド側通電操作具とを備える通電式殺処分装置である。
【００３４】
この通電式殺処分装置によれば、上記（１）の発明と同様に、狩猟獣とやや離れた安全な場所でコールド側通電操作具を操作して、狩猟獣につながっているワイヤロープの何れかひとつに電極を接触させ、次いで同じくやや離れたところでホット側通電操作具を操作して、電極を上記とは別のワイヤロープに接触させる。そして、ホット側通電操作具につながるホット側の電線を通じて電極に送られた電流は、一方のワイヤロープから狩猟獣の身体を通り、更にコールド側通電操作具において他方のワイヤロープを通って狩猟獣の身体を通して接地しているコールド側の電線とつながる。このようにして、上記通電の経路で閉回路が形成されることにより、狩猟獣の身体に所定の電圧と容量の電流が通り、狩猟獣は感電する。
【発明の効果】
【００３５】
本発明は、罠で狩猟獣を捕獲して殺処分するにあたり、必ずしも金属製網体からなる檻状の箱罠を使用して捕獲し、更に金属製網体を介して土中にアースをとる必要がなく、例えば足括り罠に掛かって、ワイヤロープでつながれた状態で捕獲された狩猟獣であっても、狩猟者が自身の安全を図りながら殺処分を行うことができる通電式殺処分装置および殺処分方法を提供することができる。
【図面の簡単な説明】
【００３６】
【図１】本発明の通電式殺処分装置の第１実施の形態を示す一部を省略した正面視説明図である。
【図２】図１に示すホット側通電操作具の平面視説明図である。
【図３】ホット側通電操作具の先端部の電極の構造を示す拡大説明図である。
【図４】通電式殺処分装置の使用状態を示す説明図である。
【図５】コールド側通電操作具の電極を構成する引掛具の使用方法を示す説明図である。
【図６】引掛具を備える電極の他の例を示す説明図である。
【図７】本発明の通電式殺処分装置の第２実施の形態を示す説明図である。
【図８】図７に示す通電式殺処分装置の使用状態の一例を示す説明図である。
【図９】本発明の通電式殺処分装置の第３実施の形態を示す概略正面視説明図である。
【発明を実施するための形態】
【００３７】
図１ないし図５を参照して、本発明の第１実施の形態を更に詳細に説明する。
通電式殺処分装置Ａ１は、電源部１、ホット側通電操作具２およびコールド側通電操作具３を備えている。以下、各部を詳細に説明する。
【００３８】
（電源部１）
電源部１は、外形が直方体形状のケース１０を有している。ケース１０の内部には、１２Ｖのバッテリー１１と、１００Ｖ、２４０ＡのＤＣ／ＡＣインバーター１２が収納されている。バッテリー１１とＤＣ／ＡＣインバーター１２は、それぞれ取付具１３、１３ａによってケース１０の内部に固定されている。また、バッテリー１１のプラス極とマイナス極は、ケーブル１４を介し、ＤＣ／ＡＣインバーター１２の入力側（符号省略）に接続されている（図１参照）。なお、バッテリー１１とＤＣ／ＡＣインバーター１２の仕様（規格）は好適なものを適宜採用可能である。また、電源部には、バッテリー１１からの電圧を昇圧する昇圧器を設けることもできる。
【００３９】
また、ＤＣ／ＡＣインバーター１２の出力側（符号省略）の、ケース１０から露出した部分には、外部から操作できるように片切りスイッチであるメインスイッチ１５が設けられている。メインスイッチ１５の下方には、交流電力を出力する出力コンセント１６が隣接して設けられている。ケース１０は、上部の両端寄りの二箇所に、後述するホット側通電操作具２の竿部２０に取り付けが可能な取付具１８、１８ａを有している。なお、メインスイッチ１５は、万一の際、素早くスイッチを切ることができるように、後述する切替スイッチ２６、３６と同様に押しボタン式のものを採用してもよい。
【００４０】
また、出力コンセント１６には、後述する電源ケーブル１７が、基端部に設けられているプラグ１７０を差し込むことにより接続されている。電源ケーブル１７は、プラグ１７０につながるホット側の電線１７１と、コールド側の電線１７２を有している。なお、電源ケーブル１７のホット側の電線１７１とコールド側の電線１７２は、プラグ１７０の向きを変えて出力コンセント１６に差し込んだ場合は、ホット側とコールド側の極が入れ替わるが、操作において、各通電操作具２、３の使用手順を入れ替えればよく、特に問題はない。
【００４１】
（ホット側通電操作具２）
ホット側通電操作具２は、絶縁体である合成樹脂（例えばポリ塩化ビニルなどであるが限定はされない）で形成された竿部２０を有している。竿部２０は、円管で形成され、例えば１５００〜２０００ｍｍ程度の長さに設定されている。なお、竿部２０（後述する竿部３０も同様）の長さについては、特に限定せず、適宜設定が可能であり、伸縮自在な構造とすることもできる。
竿部２０の先端部には、導体である電極２１が着脱自在に取り付けられている。電極２１は、先端部が尖鋭に形成された突き刺し部材２２と、ワイヤロープに引っ掛けたり、ワイヤロープを絡めたりすることができる引掛具２３を有している（図３参照）。
【００４２】
電極２１の突き刺し部材２２は、長手方向のやや基部寄りにネジ部２２０を有している。突き刺し部材２２は、竿部２０の先端に外嵌めして固定されている有底筒状のキャップ体２４の端板２４０の孔２４１にネジ部２２０を貫通させてあり、更に貫通したネジ部２２０に端板２４０を挟み付けるように内外側にナット２２１、２２２を螺合し、着脱可能に固定されている（図３参照）。
【００４３】
そして、突き刺し部材２２の基端部には、竿部２０の基部から導入された上記ホット側の電線１７１の先端が、連結用金具２２３、１７３をネジ２２４とナット２２５で止めて接続されている（図３のフキダシ部参照）。また、突き刺し部材２２には、引掛具２３が着脱可能に取り付けられている。このように、電極２１は、竿部２０から取り外しが可能で、その交換も簡単に行うことができる。
【００４４】
引掛具２３は、長ナット状（外周部に角部がない）の螺管２３０の直径線上の外面の二箇所に、「し」状に曲がった掛け部２３１、２３２を対称型に固定して形成されている。そして、引掛具２３は、螺管２３０を突き刺し部材２２の尖鋭な先端側から嵌め入れて、内ネジ部（符号省略）をネジ部２２０に螺合し、奥端まで締め込んで固定されている（図３、図１など参照）。上記構造により、電極２１には、ＤＣ／ＡＣインバーター１２の出力側に接続された電源ケーブル１７のホット側の電線１７１を通して通電することができる。
【００４５】
また、竿部２０の基部から導入され、竿部２０の内部を通るホット側の電線１７１の経路中のやや基部寄りには、通電と遮断を切り替えることができ、外部から操作できる切替スイッチ２６が設けられている。竿部２０の基部寄りには、肩ベルト２５が取付具２５１、２５２によって着脱可能に取り付けられている。更に、竿部２０の基部寄りには、上記電源部１が取付具１８、１８ａにより取り付けられている（図１参照）。
【００４６】
なお、上記切替スイッチ２６は、後で説明するように、肩ベルト２５でホット側通電操作具２を肩掛けにした状態で狩猟者の手が届く位置に設けられており、外部から一方側の手の指で操作可能な押しボタン（例えばノック式）で入・切の操作を行い、通電と遮断の切り替えを行うことができる。
また、切替スイッチ２６の操作による通電状態にあわせてランプが点滅し、あるいはブザーが鳴るようにするなど、報知機能を持たせることができる。ランプの点滅やブザーの鳴る周期（時間）を適宜設定しておけば、ランプが点滅する回数やブザーの鳴る回数をカウントすることにより、狩猟者が通電時間を計る目安とすることも可能である。このように、通電が始まること、あるいは通電していることを報知する報知機能を有することで、例えば装置を操作する狩猟者以外に補助者がいる場合にも、通電状態が補助者にも伝わるので、より安全に作業ができるようになる。
【００４７】
（コールド側通電操作具３）
コールド側通電操作具３は、絶縁体である合成樹脂で形成された竿部３０を有している。竿部３０は、円管で形成され、例えば上記竿部２０と同様に１５００〜２０００ｍｍ程度の長さに設定されている。竿部３０の先端部には、電極３１が着脱自在に取り付けられている。
なお、電極３１は、ホット側通電操作具２の電極２１と同様の構造であるので、ここでは説明を省略し、図１、図４、図５および図７では、突き刺し部材を符号３２、引掛具を符号３３、キャップ体を符号３４として電極３１と共に表している。
【００４８】
また、竿部３０の基部から導入され、竿部３０の内部を通るコールド側の電線１７２の経路中のやや基部寄りには、上記切替スイッチ２６と同様の切替スイッチ３６が設けられている。なお、切替スイッチ３６は、竿部３０の把持部分３１の近傍に設けられており、外部から一方側の手の指で操作可能な押しボタンで入・切の操作を行い、通電と遮断の切り替えを行うことができる。また、電線１７２の経路中において、竿部３１に至る途中部分は、コネクタ１７６、１７７を介してつながれており、必要に応じてコールド側通電操作具３をホット側通電操作具２と分離することができ、別々に運搬することもできる。
【００４９】
（作用）
図１ないし図５、主に図４、図５を参照して、通電式殺処分装置Ａ１の使用方法および作用を説明する。図４では、足括り罠（図示省略）に掛かり、金属製で導体であるワイヤロープ５で立木６につながれた狩猟獣であるイノシシ７を殺処分する場合を例にとり説明する。
【００５０】
捕獲されたイノシシ７の殺処分にあたっては、足括り罠のワイヤロープ５だけでなく、金属製で導体である拘束用のワイヤロープ５ａをイノシシ７につなぐ。この作業は、まずワイヤロープ５ａの先端に括り輪５０を形成し、これを長尺の棒などを使用して、イノシシ７の鼻先に近付けると咥えるので、すぐにワイヤロープ５ａを引いて括り輪５０を引き絞り、上顎を縛ることで比較的容易に行うことができる。
【００５１】
そして、更にワイヤロープ５ａにナイロン製のロープ５ｂをつなぎ、これを他の立木６ａにつないで、イノシシ７を二方から引っ張ることによって、動けないように拘束する。なお、図４では、図示の便宜上、各ワイヤロープ５、５ａを短く表しているが、実際上は、各ワイヤロープ５、５ａは相当に長いものであり、括り輪５０をイノシシ７に咥えさせる作業やロープ５ｂを接続する作業は、イノシシ７から離れた位置から、比較的安全に行うことができる。
【００５２】
なお、ワイヤロープ５ａについては、ロープ５ｂを使用せず、直接立木６ａにつないでもよい。このように、イノシシ７の動きを確実に制限して、狩猟者Ｍに対する危険度をあらかじめ軽減しておく。
【００５３】
次に、狩猟者Ｍは、イノシシ７と離れた安全な場所で、通電式殺処分装置Ａ１を使用した殺処分作業の準備をする。まず、通電式殺処分装置Ａ１の電源部１のメインスイッチ１５を入れる。また、ホット側通電操作具２とコールド側通電操作具３の切替スイッチ２６、３６は、安全のため切状態としておく。この状態では、各通電操作具２、３の各電極２１、３１には、通電されていない。
【００５４】
そして、コールド側通電操作具３を操作して、イノシシ７につながっているワイヤロープ５ａに電極３１を接触させる。このとき、図５に示すように、電極３１の突き刺し部材３１と引掛具３３の間の狭くなった部分（符号省略）をワイヤロープ５ａに押し付け、または更にコールド側通電操作具３を操作して突き刺し部材３２の軸周方向に回して引き戻し、引掛具３３をワイヤロープ５ａに掛けるようにする。
【００５５】
このようにすれば、電極３１にはワイヤロープ５ａが絡んだ状態となっており、ワイヤロープ５ａにつないだコールド側通電操作具３を、いわゆる突っ張り棒、あるいは突っ支い棒のように使用することにより、狩猟者Ｍが自身の身体を支えて安定させることが可能になり、例えば雨天時の足場の悪い中での転倒などの事故、あるいはそれに起因する感電事故などを防止する助けともなる。
【００５６】
また、引掛具３３を、捕獲したイノシシ７につながるワイヤロープ５ａに引っ掛けたり、突き刺し部材２２や引掛具３３にワイヤロープ５ａを絡めたりすることで、イノシシ７が動いてワイヤロープ５ａが多少動いたとしても、電極３１をつないだ状態が簡単に外れることはなく、つないだ状態を維持できるので、作業がしやすく失敗が少ない。なお、コールド側通電操作具３の電極３１は、イノシシ７に咥えさせて通電可能とすることもできる。電極３１を咥えさせると、掛け部３３１、３３２が口内の皮膚に刺さったり引っ掛かったりするので、容易には外れず、しかも唾液で通電性がよくなっており、作業がしやすくなる。
【００５７】
次いで、同じくイノシシ７から離れたところでホット側通電操作具２を操作して、電極２１を別のワイヤロープ５に接触させる。そして、ホット側通電操作具２とコールド側通電操作具３の切替スイッチ２６、３６を入れ、ホット側通電操作具２につながるホット側の電線１７１に通電する。
【００５８】
これにより、ホット側通電操作具２につながるホット側の電線１７１を通じて電極２１に送られた電流は、ワイヤロープ５からイノシシ７の身体を通り、更にコールド側通電操作具３においてワイヤロープ５ａを通ってイノシシ７の身体を通して接地しているコールド側の電線１７２とつながる。このようにして、上記通電の経路で閉回路が形成されることにより、イノシシ７の身体に所定の電圧と容量の電流が通り、イノシシ７は感電する。
【００５９】
このように、通電式殺処分装置Ａ１を使用すれば、必ずしも金属製網体からなる檻状の箱罠を使用して捕獲し、更にあらかじめ金属製網体を介して土中にアースをとる必要がない。そして、上記したように、足括り罠に掛かって、ワイヤロープ５でつながれた状態で捕獲されたイノシシ７であっても、狩猟者Ｍが自身の安全を図りながら殺処分を行うことができる。
【００６０】
また、イノシシ７の身体において通電する箇所、身体を通る電流の電圧と容量、あるいは通電時間を適宜調節することにより、イノシシ７を感電死させることもできるし、気絶させることもできる。例えば、狩猟獣の口部と首部との間で所要時間通電すると、主に脳が感電して仮死状態となり、この時点では心臓は動いているので、ナイフなどを使用して致命傷を与えることで放血が可能になり、その場合は特に食用に適する。更に、狩猟獣の口部と後足や前足の間で通電を行えば、心臓が感電して短時間で停止するので、手早く殺処分を行う場合に有用である。
【００６１】
図６を参照して、各通電操作具２、３に取り付けられる電極の他の例を説明する。なお、図６では、ホット側通電操作具２を例にとり説明し、このホット側通電操作具２と同一または同等箇所には同一の符号を付して示し、上記と重複する説明は省略する。
【００６２】
図６（ａ）に示す電極２１ａは、引掛具２３ａを有している。引掛具２３ａは、長ナット状（外周部に角部がない）の螺管２３０の外面の一箇所に、「し」状に曲がった掛け部２３１を固定して形成されている。つまり、上記電極２１において、引掛具２３の掛け部が２つあったものを１つにした構造である。
【００６３】
電極２１ａによれば、上記電極２１と同様に、ワイヤロープに押し付けて、突き刺し部材２２と掛け部２３１の間でワイヤロープを挟み込むようにし、あるいはワイヤロープに掛け部２３１を引っ掛けて、ワイヤロープが絡むようにして接触状態を維持できるようにすることができる。
【００６４】
図６（ｂ）に示す電極２１ｂは、引掛具２３ｂを有している。引掛具２３ｂは、長ナット状（外周部には角部がない）の螺管２３０の直径線上の外面の二箇所に、突き刺し部材２２と３０°程の角度を成す直線的に形成された掛け部２３３、２３４が固定されている。
【００６５】
電極２１ｂによれば、上記電極２１と同様に、ワイヤロープに押し付けて、突き刺し部材２２と掛け部２３３、２３４の間でワイヤロープを挟み込むようにして、あるいは掛け部２３３、２３４にワイヤロープが絡むようにして接触状態を維持できるようにすることができる。
【００６６】
図６（ｃ）に示す電極２１ｃは、引掛具２３ｃを有している。引掛具２３ｃは、長ナット状（外周部には角部がない）の螺管２３０の直径線上の外面の二箇所に、上記と同様の掛け部２３３、２３４が設けられ、更にそれらの基部側にそれぞれ隣接して「Ｌ」字状の掛け部２３５、２３６が設けられている。
【００６７】
電極２１ｃによれば、上記電極２１と同様に、ワイヤロープに押し付けて、突き刺し部材２２と掛け部２３３、２３４の間でワイヤロープを挟み込むようにし、あるいはワイヤロープに掛け部２３５、２３６を引っ掛けて互いに絡むようにして、接触状態を維持できるようにすることができる。
【００６８】
図７および図８を参照して、本発明の第２実施の形態を詳細に説明する。なお、図において、上記通電式殺処分装置Ａ１と同等箇所には同一または同等の符号を付して示し、構造について重複する説明は省略する。
【００６９】
通電式殺処分装置Ａ２は、電源部１ａ、ホット側通電操作具２ａ、コールド側通電操作具３ａ、およびクリッピングケーブル４を備えている。
なお、図７では、クリッピングケーブル４が二本表してあるが、これは、一本をホット側通電操作具２ａ、またはコールド側通電操作具３ａと入れ替えて使用するという意味である。以下、各部を詳細に説明する。
【００７０】
電源部１ａの、バッテリーとＤＣ／ＡＣインバーター（何れも図示省略）を備える構造は、上記電源部１と同様である。電源部１ａのケース１０には、狩猟者が腰に巻いて装着する腰ベルト１０１と、肩に掛ける肩ベルト１０２が着脱可能に取り付けられている。
【００７１】
ＤＣ／ＡＣインバーターの出力側に接続されている電源ケーブル１７ａのホット側の電線１７１ａの先端には、コネクタ１７４が設けられている。また、ホット側通電操作具２ａの電極２１につながる電線１７１ｂの端部にはコネクタ１７５が設けられ、常態においては、電線１７１ａと電線１７１ｂは、コネクタ１７４、１７５を介し接続されている。
【００７２】
ＤＣ／ＡＣインバーターの出力側に接続されている電源ケーブル１７ａのコールド側の電線１７２ａの先端にはコネクタ１７４が設けられている。また、コールド側通電操作具３ａの電極３１につながる電線１７２ｂの端部にはコネクタ１７５が設けられ、常態においては、電線１７２ａと電線１７２ｂは、コネクタ１７４、１７５を介し接続されている。
【００７３】
そして、通電式殺処分装置Ａ２は、必要に応じてホット側通電操作具２ａとクリッピングケーブル４とを付け替えるか、またはコールド側通電操作具３ａとクリッピングケーブル４を付け替えて使用することができる。なお、クリッピングケーブル４は、所要長さの電線４０と、その一端部に設けてあるコネクタ４１と、他端部に取り付けられている、先部がいわゆる鰐口状のクリップ金具４２からなる。
【００７４】
（作用）
図８を参照し、上記通電式殺処分装置Ａ２を使用した狩猟獣であるイノシシ７の殺処分方法の一例を説明する。
檻籠９は鉄製で、檻状の箱罠（図示省略）に接続して、箱罠で捕獲した狩猟獣を追い込んだ後、可動枠を動かして空間を狭めるようにイノシシ７を押圧して、その動きを制限し、箱罠から取り外すことができるものである。イノシシ７が入った状態では、可動枠がイノシシ７に密着するように接触し、しかも可動枠を有する檻籠９は、地面上に置かれているので、檻籠９とイノシシ７はグランドにつながり、接地している状態となっている。このため、従来の装置のように、イノシシと檻籠９を確実に接地させるために、水を撒く必要がない。
【００７５】
イノシシ７の殺処分にあたっては、まず、通電式殺処分装置Ａ２のコールド側通電操作具３ａと入れ替えて、コールド側の電線１７２ｂに、クリッピングケーブル４を接続する。次に、檻籠９においてイノシシ７に近い金属棒に、クリッピングケーブル４のクリップ金具４２を取り付けて電気的に接続する。なお、クリッピングケーブル４を接続せずに、コールド側通電操作具３ａを接続したままで、その先端の電極を檻籠９においてイノシシ７に近い金属棒に接触させたり引っ掛けたりして作業をすすめることもできる。そして、電源部１ａのメインスイッチ１５を入れ、ホット側通電操作具２ａを操作し、イノシシ７の身体に通電できるように、電極２１の突き刺し部材２２をイノシシ７の身体に突き刺す。
【００７６】
この状態で、切替スイッチ２６を入れると、ホット側の電線１７１ａ、１７１ｂを通じて電極２１に送られた電流は、イノシシ７の身体を通り、更に檻籠９からイノシシ７の身体を通って接地しているコールド側の電線１７２ａおよびクリッピングケーブル４とつながる。このようにして、上記通電の経路で閉回路が形成されることにより、イノシシ７の身体に所定の電圧と容量の電流が通り、イノシシ７は感電する。
【００７７】
なお、通電式殺処分装置Ａ１、Ａ２を使用した、捕獲した狩猟獣の殺処分方法としては、上記各方法の他にも様々な方法がある。
例えば、箱罠で捕獲した狩猟獣の上顎にワイヤロープをつなぎ、そのワイヤロープを、箱罠の外の立木や杭に接続し、ワイヤロープにクリッピングケーブル４のクリップ金具４２を取り付けて電気的に接続し、後は上記と同様に他方のホット側通電操作具の電極を狩猟獣に突き刺すなどして接触させて通電を行う殺処分方法を採用することができる。
【００７８】
また、箱罠で捕獲した狩猟獣の上顎にワイヤロープをつなぎ、そのワイヤロープを通した部分が上になるように箱罠を立て、上顎を括ったワイヤロープを引き上げ、狩猟獣が身動きできないようにし、そのワイヤロープに一方の電極（通常はコールド側の電極）を当て、後は上記と同様に他方のホット側通電操作具の電極を狩猟獣に突き刺すなどして接触させて通電を行う殺処分方法を採用することができる。
【００７９】
図９を参照して、本発明の通電式殺処分装置の第３実施の形態を説明する。
通電式殺処分装置Ａ３は、電源１ｃを一体に取り付けたホット側通電操作具２ｃと、コールド側通電操作具３ｃを備えている。ホット側通電操作具２ｃの竿部２０ｃの先端には、上記電極２１ｃと同様の電極２１ｃが設けられ、コールド側通電操作具３ｃの竿部３０ｃの先端には、上記電極２１ｃと同様の構造の電極３１ｃが設けられている。
【００８０】
ホット側通電操作具２ｃにおいて、ホット側の電線１７１ｃは電極２１ｃに通じており、コールド側通電操作具３ｃにおいて、コールド側の電線１７２ｃは電極３１ｃに通じている。そして、電線１７１ｃの経路中には、外部から入・切の操作が可能な切替スイッチ２６ｃが設けられており、電線１７２ｃの経路中には、外部から入・切の操作が可能な切替スイッチ３６ｃが設けられている。
【００８１】
ホット側通電操作具２ｃにおいて、竿部２０ｃの基部には、ガングリップ状の握り部２７ｃが形成されている。握り部２７ｃは、竿部２０ｃに対して所要の角度（例えば５０°）を以て形成されている。また、コールド側通電操作具３ｃにおいて、竿部３０ｃの基部には、合成樹脂製の竿部３０ｃを所要の角度（例えば４５°）で曲げて握り部３７ｃが形成されている。なお、切替スイッチ２６ｃは、握り部２７ｃの上部の親指で押しやすい角部位置に設けられ、切替スイッチ３６ｃは、握り部３７ｃの上部の曲がり部近傍の親指で押しやすい位置に設けられている。
【００８２】
これによれば、例えば電極２１ｃ、３１ｃをワイヤロープに押し付けてワイヤロープを挟み込むようにしたり、突き刺し部（符号省略）をイノシシなどの狩猟獣に直接突き刺したりするときなどに、各握り部２７ｃ、３７ｃが各竿部に対し所要の角度がついていることで、操作をする狩猟者が力を入れやすく、迅速で確実な作業が可能になる。
【００８３】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００８４】
Ａ１  通電式殺処分装置
１  電源部
１０  ケース
１１  バッテリー
１２  ＤＣ／ＡＣインバーター
１３、１３ａ  取付具
１４  ケーブル
１５  メインスイッチ
１６  出力コンセント
１７  電源ケーブル
１７０  プラグ
１７１  ホット側の電線
１７２  コールド側の電線
１７６、１７７  コネクタ
１８、１８ａ  取付具
２  ホット側通電操作具
２０  竿部
２１  電極
２２  突き刺し部材
２２０  ネジ部
２２１、２２２  ナット
２２３、１７３  連結用金具
２２４  ネジ
２２５  ナット
２３  引掛具
２３０  螺管
２３１、２３２  掛け部
２４  キャップ体
２４０  端板
２４１  孔
２５  肩ベルト
２５１、２５２  取付具
２６  切替スイッチ
３  コールド側通電操作具３
３０  竿部
３１  電極
３２  突き刺し部材
３３  引掛具
３３１、３３２  掛け部
３４  キャップ体
３６  切替スイッチ
Ａ２  通電式殺処分装置
１ａ  電源部
２ａ  ホット側通電操作具
３ａ  コールド側通電操作具
４  クリッピングケーブル
４０  電線
４１  コネクタ
４２  クリップ金具
１０１  腰ベルト
１０２  肩ベルト
１７ａ  電源ケーブル
１７１ａ  電線
１７４  コネクタ
１７１ｂ  電線
１７５  コネクタ
１７２ａ  コールド側の電線
１７２ｂ  コールド側の電線
Ａ３  通電式殺処分装置
１ｃ  電源
２ｃ  ホット側通電操作具
３ｃ  コールド側通電操作具
２０ｃ  竿部
２１ｃ  電極
３０ｃ  竿部
３１ｃ  電極
１７１ｃ  ホット側の電線
１７２ｃ  コールド側の電線
２６ｃ  切替スイッチ
３６ｃ  切替スイッチ
２７ｃ  握り部
３７ｃ  握り部
【要約】
【課題】罠で狩猟獣を捕獲して殺処分するにあたり、必ずしも金属製網体からなる檻状の箱罠を使用して捕獲し、更に金属製網体を介して土中にアースをとる必要がなく、例えば足括り罠に掛かって、ワイヤロープでつながれた状態で捕獲された狩猟獣であっても、狩猟者が自身の安全を図りながら殺処分を行うことができる通電式殺処分装置を提供する。
【解決手段】通電式殺処分装置Ａ１は、バッテリー１１と、バッテリー１１がケーブル１４で入力側に接続されたＤＣ／ＡＣインバーター１２とを有する電源部１と、電源部１のＤＣ／ＡＣインバーター１２の出力側に接続されたケーブル１７のホット側の電線１７１が接続されている電極２１を有する所要長さのホット側通電操作具２と、ＤＣ／ＡＣインバーター１２の出力側に接続されたケーブル１７のコールド側の電線１７２が接続されている電極３１を有する所要長さのコールド側通電操作具３とを備える。
【選択図】図１【図１】
0005934423.tif 000002
【図２】
0005934423.tif 000003
【図３】
0005934423.tif 000004
【図４】
0005934423.tif 000005
【図５】
0005934423.tif 000006
【図６】
0005934423.tif 000007
【図７】
0005934423.tif 000008
【図８】
0005934423.tif 000009
【図９】
0005934423.tif 000010